(57)【要約】【課題】  テーブル上に置かれた飲料容器に、不意に手や肘が触れたときなどに、その飲料容器が逃げるように移動して倒れを軽減することを課題１とした。  課題２は、筆記作業中の紙と手との摩擦の軽減である。【解決手段】  飲料容器を乗せるコースターの下部には回転自在な球体を等間隔に複数配置した。そうすることで、飲料容器はテーブル上をすべるように移動できる。そして、不意に手や肘が飲料容器に触れたときに飲料容器は逃げるように移動して、倒れを軽減できる。  筆記作業では、上記の回転自在な球体が備わったコースターに手を添えて筆記することで手と紙との摩擦を無くすことができる。【選択図】  図２
2008253604.tif 000002
【特許請求の範囲】
【請求項１】
飲料容器や手を乗せる台と、その台の下部に回転自在な球体を複数設けたことを特徴とした置台。
【請求項２】
台の上部に飲料容器挿入部を設けたことを特徴とした請求項１記載の置台。
【請求項３】
回転自在な球体の挿入部を長穴としたことを特徴とした請求項１記載の置台。
【発明の詳細な説明】
【技術分野】
【０００１】
本発明は、テーブル上に置かれた飲料容器の倒れの軽減に関する技術である。また、その他に筆記作業にも兼用できる技術でもある。
尚、上記、飲料容器の例としてコップ・カップなどがあげられる。
【背景技術】
【０００２】
飲料容器の倒れの軽減に関しては、テーブル上に置かれた飲料容器に対して意に反して手や肘が当たったときなどにその飲料容器が倒れたりする問題点があった。
【０００３】
次に、筆記作業に関しては筆記中に、手の一端と紙とが擦り合って摩擦が生じ、その結果、筆記に余計な力を必要とする問題点があった。
【特許文献１】特開2002-248044
【発明の開示】
【発明が解決しようとする課題】
【０００４】
上記、飲料容器が倒れたりする問題点に関しては、テーブル上に置かれた飲料容器に対し側面から力が加わった場合（意に反して手や肘などが当たった場合）などに、その力を利用して飲料容器が逃げるように移動させることを主願として下記を課題とした。
飲料容器がテーブル上を移動する為には、飲料容器単体では難しいので、飲料容器をテーブルに置く際に用いられてきたコースターに前後・左右・斜め方向に、軽い力で移動できる機構を備えさせることとした。以上が飲料容器の倒れの軽減に関する課題である。
【０００５】
次に、筆記作業に関しては、前記、機構を備えた台を利用する。その台はテーブル上に置かれた紙・テーブル上を自由に移動できるので、その台の上に手を添えて筆記作業をすることで、手と紙との摩擦を無くすことができる。
従って、筆記作業の課題は、前記飲料容器の倒れの軽減と同様である。
【課題を解決するための手段】
【０００６】
上記課題を解決するために、コースター（コップ敷き）のように飲料容器を乗せるのに適した大きさ有する台を形成してその下部に回転自在な球体を等間隔に複数配置する。
そしてその球体がテーブル上を転がることで台はテーブル上をすべるように移動することができる。
【発明の効果】
【０００７】
上記のように、下部に球体を等間隔に複数配置した台は、前後・左右・斜め方向の移動が容易となる。そして、その台に飲料容器を乗せたならば台と共に飲料容器も移動する。そして、意に反して手や肘などがその飲料容器に触れたとき、その力を利用して飲料容器は逃げるように移動する。その結果、飲料容器の倒れを軽減することができる。
【発明を実施するための最良の形態】
【０００８】
添付図の図２に示した、台１と球体受板２の結合方法を説明すると、
台１は、下面側の内壁にアンダーカットの溝が設けられていて、その溝は、球体受板２の端を引っ掛けて、球体受板２は台１に固定される。
【０００９】
球体受板２の外周側には、台１に設けたアンダーカットの溝に掛かる部分が設けてある。
【００１０】
次に、本発明がテーブル上を軽い力で移動するのに必要な構成を説明すると、球体受板２に球体挿入部４を等間隔に複数設けて、その球体挿入部４にボール状に形成された球体３を挿入して、その球体３を台１と球体受板２で挟み込む。
【００１１】
上記また本発明を、添付図面を元にさらに詳しく説明すると、
図６で、台１の下面側の内壁にレール溝６があって、その溝は、図９のレール７を挿入する部分である。
図１３の突起溝８は、図９の突起９を収める部分である。
図９の長穴５は、突起９付近の剛性を弱める為に設けた。それによって突起９付近が変形しやすくなって、長穴５の方向に突起９が移動しやすくなる。そしてその突起９は、突起溝８にパチンと嵌ることが出来る。
【００１２】
また、突起９の大きさよりも突起溝８の溝幅を広くして空間ができるようにした。そして、その空間の範囲内で、突起９は自由に移動することできる。
【００１３】
前記、移動できるようにした目的は、球体３が球形状の為、台１の面に対して一点当たりして、その当る部分が集中的に消耗してしまう。そこで、その消耗を防ぐために、一点当たりする部分が移動するようにした。つまり、消耗する部分を分散した。
【００１４】
球体３の素材は、合成樹脂、ガラス、あるいは金属とすることができるが、限定する必要はない。
【００１５】
また、その球体３を収める球体挿入部４の配置に関しては、等間隔が好ましいがテーブル上の移動を妨げないのであれば、等間隔にする必要はない。
【００１６】
また、その他のパーツ、台１・球体受板２の素材は合成樹脂が適当であるが、これもまた限定するものではない。
【００１７】
図５では、台１の下面にリブ１１が一周して、台１の剛性を高めている。
図１４では、台１の下面内壁に、突起溝８・レール溝６・ストッパー１０が設けてある。その中で、ストッパー１０は、球体受板２に備わってるレール７の移動範囲を制限する役目をする。
【００１８】
図１５では、突起９が丸みのある形状に形成されて、その突起９は突起溝８から離脱が容易となっている。
【００１９】
図１６では、図１５とは異なり、球体受板２が台１から容易に離脱しないようにするために突起９の一端を爪状に形成して、台１に備わる突起溝８の端に爪が引っかかるようにした例である。
上記のように爪状にすることで、本発明が、テーブルから落下した場合などの衝撃によって台１と球体受板２が分離することを防止することができる。
【００２０】
図１７には、上面リブを台１に設けた状態を示す平面図である、その上面リブは飲料容器を挿入する部分、飲料容器挿入部である。
その飲料容器挿入部は、飲料容器の外周を一周するように設けられていて飲料容器が傾くのを軽減する役目をする。
図１８は、上記の上面リブを横から見た断面を示す。
図１９は、前記で示した台１と球体受板２の連結方法とは異なる連結方法として、接着剤あるいは溶着によって行う場合に、球体３が台１に及ぼす一点当たりの消耗を分散するために球体挿入部４の形状を長穴とした。長穴とすることで、台１と球体受板２が接着剤などで完全に固定されていても球体挿入部４が長穴の為、球体３がその長穴内を移動できるので、球体３が台１に当る部分も移動することになる。結果として球体３が一点当たりする部分を分散することが出来るのである。
図２０は、図１９の断面図である。
【図面の簡単な説明】
【００２１】
【図１】本発明の各部品を組立てた状態での平面図。
【図２】本発明の図１の断面図。
【図３】本発明を斜め上から見た図。
【図４】本発明の各部品を組立てた状態での斜め下から見た図。
【図５】本発明の台１の平面図。
【図６】本発明の図５の断面図。
【図７】本発明の台１を斜め上から見た図。
【図８】本発明の台１を斜め下から見た図。
【図９】本発明の球体受板２の平面図。
【図１０】本発明の図９の断面図。
【図１１】本発明の球体受板２を斜め上から見た図。
【図１２】本発明の球体受板２を斜め下から見た図。
【図１３】本発明の図５の部分詳細図。
【図１４】本発明の図１３の斜視図。
【図１５】本発明の台１の突起溝８と球体受板２の突起９を組合せた状態の図。
【図１６】本発明の台１の突起溝８と球体受板２の突起９を組合せた状態の図。ただし、突起９の形状が図１５と異なっている。
【図１７】本発明の台１の上面に飲料容器挿入部を設けた状態を示す平面図。
【図１８】本発明の図１７の断面図。
【図１９】本発明の球体受板２の平面図。
【図２０】本発明の図１９の断面図。
【符号の説明】
【００２２】
１  台
２  球体受板
３  球体
４  球体挿入部
５  長穴
６  レール溝
７  レール
８  突起溝
９  突起
１０  ストッパー
１１  リブ
１２  上面リブ
【図１】
2008253604.tif 000003
【図２】
2008253604.tif 000004
【図３】
2008253604.tif 000005
【図４】
2008253604.tif 000006
【図５】
2008253604.tif 000007
【図６】
2008253604.tif 000008
【図７】
2008253604.tif 000009
【図８】
2008253604.tif 000010
【図９】
2008253604.tif 000011
【図１０】
2008253604.tif 000012
【図１１】
2008253604.tif 000013
【図１２】
2008253604.tif 000014
【図１３】
2008253604.tif 000015
【図１４】
2008253604.tif 000016
【図１５】
2008253604.tif 000017
【図１６】
2008253604.tif 000018
【図１７】
2008253604.tif 000019
【図１８】
2008253604.tif 000020
【図１９】
2008253604.tif 000021
【図２０】
2008253604.tif 000022